(57)【要約】【課題】容易に電子ユニットを筐体に取り付け及び取り外せることができる電子機器を提供する。【解決手段】電子機器は、筐体と、電子ユニットと、レール部材と、レール案内部材と、スライド機構とを備える。電子ユニットは、電子部品を有し、筐体の内部に収容される。レール部材は、電子ユニット及び筐体のいずれか一方に設けられる。レール案内部材は、電子ユニット及び筐体のいずれか他方に設けられ、電子ユニットを筐体に挿入する方向である挿抜方向にレール部材を案内する。スライド機構は、挿抜方向と交差するスライド方向に、電子ユニットをレール部材及びレール案内部材とともにスライドさせる。【選択図】図３
2017005231.tif 000002
【特許請求の範囲】
【請求項１】
筐体と、
電子部品を有し、前記筐体の内部に収容される電子ユニットと、
前記電子ユニット及び前記筐体のいずれか一方に設けられたレール部材と、
前記電子ユニット及び前記筐体のいずれか他方に設けられ、前記電子ユニットを前記筐体に挿入する方向である挿抜方向に前記レール部材を案内するレール案内部材と、
前記挿抜方向と交差するスライド方向に、前記電子ユニットを前記レール部材及び前記レール案内部材とともにスライドさせるスライド機構と、
を備える電子機器。
【請求項２】
前記筐体の側面の外側に設けられた放熱部材を更に備え、
前記スライド機構は、前記電子ユニットを前記筐体の前記側面までスライドさせ、
前記電子ユニットは、前記筐体の前記側面に形成された開口を介して、前記放熱部材と接触して固定されている
請求項１に記載の電子機器。
【請求項３】
前記スライド機構は、前記筐体に形成された前記スライド方向に延びる長穴にスライド可能に挿入されたスライド部材を有し、
前記スライド部材は、前記筐体に設けられた前記レール部材または前記レール案内部材に固定されている
請求項１に記載の電子機器。
【請求項４】
電子部品を有する電子ユニットを挿入する方向である挿抜方向に沿って筐体の内部に挿入する段階と、
前記電子ユニットをスライド機構によって前項挿抜方向と交差するスライド方向にスライドさせる段階と、
前記電子ユニットを前記筐体の内部に固定する段階と、
を備える電子ユニットの取付方法。
【請求項５】
前記スライドさせる段階では、前記電子ユニットを放熱部材が設けられた前記筐体の側面までスライドさせ、
前記固定する段階では、前記電子ユニットを前記筐体の前記側面に形成された開口を介して、前記放熱部材と接触させて固定する
請求項４に記載の電子ユニットの取付方法。
【請求項６】
前記スライドさせる段階では、前記筐体に形成された前記スライド方向に延びる長穴にスライド可能に挿入されスライド部材であって、前記筐体に設けられたレール部材またはレール案内部材に固定された前記スライド部材をスライドさせる
請求項４に記載の電子ユニットの取付方法。
【発明の詳細な説明】
【技術分野】
【０００１】
本発明の実施形態は、電子機器及び電子ユニットの取付方法に関する。
【背景技術】
【０００２】
電子ユニットを収容する筐体を備え、屋外等に設置される電子機器が知られている。このような電子機器では、電子ユニットを扉の方から筐体に挿入して、筐体に収容する。
【先行技術文献】
【特許文献】
【０００３】
【特許文献１】特開平８−３３５７９０号公報
【特許文献２】特開２０１２−１６９３４２号公報
【発明の概要】
【発明が解決しようとする課題】
【０００４】
しかしながら、電子ユニットが重い場合、作業者は電子ユニットを筐体の所定の位置に容易に取り付けることが難しいといった課題がある。
【０００５】
本発明は、上記に鑑みてなされたものであって、容易に電子ユニットを筐体に取り付け及び取り外せることができる電子機器を提供することを目的とする。
【課題を解決するための手段】
【０００６】
上述した課題を解決し、目的を達成するために、本発明の実施形態による電子機器は、筐体と、電子ユニットと、レール部材と、レール案内部材と、スライド機構とを備える。電子ユニットは、電子部品を有し、筐体の内部に収容される。レール部材は、電子ユニット及び筐体のいずれか一方に設けられる。レール案内部材は、電子ユニット及び筐体のいずれか他方に設けられ、電子ユニットを筐体に挿入する方向である挿抜方向にレール部材を案内する。スライド機構は、挿抜方向と交差するスライド方向に、電子ユニットをレール部材及びレール案内部材とともにスライドさせる。
【図面の簡単な説明】
【０００７】
【図１】図１は、実施形態による電子機器の正面図である。
【図２】図２は、実施形態による電子機器の左側面図である。
【図３】図３は、実施形態による電子機器の上面図である。
【図４】図４は、電子ユニット及びレール部材の正面図である。
【図５】図５は、電子ユニット及びレール部材の左側面図である。
【図６】図６は、電子ユニット及びレール部材の上面図である。
【図７】図７は、スライド機構の近傍の平面図である。
【図８】図８は、スライド機構の近傍の縦断面図である。
【図９】図９は、平面視における電子ユニットの取り付け作業の工程図である。
【図１０】図１０は、平面視における電子ユニットの取り付け作業の工程図である。
【発明を実施するための形態】
【０００８】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００９】
＜実施形態＞
図１は、実施形態による電子機器１０の正面図である。図２は、実施形態による電子機器１０の左側面図である。図３は、実施形態による電子機器１０の上面図である。図１から図３に矢印で示す方向を電子機器１０の前後左右上下方向とする。前後方向は、挿抜方向の一例である。
【００１０】
実施形態による電子機器１０は、筐体１２への電子ユニット１４の保守交換の交換作業等における容易な取り付け作業及び取り外し作業を実現する。特に、電子ユニット１４が重く、高温になる場合、筐体１２の内部で電子ユニット１４を容易に移動させて、筐体１２の側面に設けられた放熱器２２への電子ユニット１４の容易な取り付けも実現する。
【００１１】
電子機器１０は、例えば、屋外等に設置される多重無線用の装置である。図１から図３に示すように、電子機器１０は、筐体１２と、電子ユニット１４Ａと、複数の電子ユニット１４Ｂと、複数対のレール部材１６と、複数対のレール案内部材１８と、スライド機構２０と、放熱器２２と、防水部材２４とを備える。以下の説明において、電子ユニット１４Ａと電子ユニット１４Ｂとを区別する必要がない場合、電子ユニット１４と記載する。
【００１２】
筐体１２は、ほぼ直方体形状を有する。筐体１２は、中空状に形成されている。筐体１２は、電子ユニット１４を収容する。筐体１２の高さの一例は、５０ｃｍである。筐体１２の左右方向の幅の一例は、３０ｃｍである。筐体１２の前後方向の奥行きの長さは、３０ｃｍである。図３においては、筐体１２の上面を省略している。筐体１２は、金属等の材料によって構成されている。筐体１２は、本体部３０と、扉部材３２と、回動部材３４と、上側棚板３６と、下側棚板３８とを有する。
【００１３】
本体部３０は、板金製であって、中空の直方体形状に形成されている。本体部３０は、上面、下面、後面、左側面及び右側面を有する。換言すれば、本体部３０の前面には、収納口４０が形成されている。収納口４０は、筐体１２の内部へ電子ユニット１４を挿入可能に、かつ、筐体１２の内部から電子ユニット１４を抜出可能に開口している。従って、前後方向が、挿抜方向の一例である。本体部３０の左側面には、電子ユニット１４Ａの放熱用の放熱窓４２が形成されている。放熱器２２を固定するための複数（例えば、６個）の固定用ネジ穴４４が、本体部３０の左側面の放熱窓４２の外周部に形成されている。
【００１４】
扉部材３２は、本体部３０の収納口４０よりも大きい板状の部材である。扉部材３２は、本体部３０の前側の収納口４０を塞ぐように設けられている。
【００１５】
回動部材３４は、扉部材３２の右端部を、本体部３０の前面の右端部に回動可能に連結する。回動部材３４の一例は、蝶番である。
【００１６】
上側棚板３６は、水平面に平行な板状の部材である。上側棚板３６の中央部には、開口４６が形成されている。上側棚板３６には、左右方向に延びる一対の長穴４８が形成されている。長穴４８は、挿抜方向と交差（例えば、直交）するスライド方向である左右方向に沿って延びる。長穴４８は、スライド機構２０によって、電子ユニット１４、レール部材１６、及び、レール案内部材１８をスライド方向にスライドさせる。上側棚板３６は、上下方向において、筐体１２の中心よりも上方に設置されている。上側棚板３６の四辺は、上方に折り曲げられている。即ち、上側棚板３６の四辺は、鉛直面に平行な４枚の上側取付板５０を有する。
【００１７】
下側棚板３８は、水平面に平行な板状の部材である。下側棚板３８は、上下方向において、筐体１２の中心よりも下方に設置されている。下側棚板３８には、スライド方向に延びる一対の長穴５２（図７参照）が形成されている。長穴５２は、平面視において、長穴４８とほぼ同じ位置に同じ形状で形成されている。下側棚板３８は、上側棚板３６と間隔をあけて設置されている。下側棚板３８の四辺は、下方に折り曲げられている。即ち、下側棚板３８の四辺は、鉛直面に平行な４枚の下側取付板５４を有する。
【００１８】
図４は、電子ユニット１４Ａ及びレール部材１６の正面図である。図５は、電子ユニット１４Ａ及びレール部材１６の左側面図である。図６は、電子ユニット１４Ａ及びレール部材１６の上面図である。図４から図６に示すように、電子ユニット１４Ａは、収納ケース６０と、パネル６２と、電子部品６４とを有する。
【００１９】
収納ケース６０は、中空状の直方体形状の金属製シャーシ構造に形成されている。収納ケース６０は、電子部品６４を収納する。収納ケース６０の側面は、放熱窓４２よりも小さい。これにより、収納ケース６０の左端部は、放熱窓４２に挿入される。収納ケース６０の左側面には、放熱器２２を連結するための複数（例えば、４個）の連結用ネジ穴６６が形成されている。収納ケース６０は、金属等によって構成されている。
【００２０】
パネル６２は、収納ケース６０の前面に設けられている。パネル６２の上下方向の高さは、収納ケース６０の高さよりも大きい。従って、パネル６２の上下端部は、収納ケース６０の上下面から突出している。これにより、電子ユニット１４Ａが筐体１２の奥まで挿入されると、パネル６２が上側棚板３６と下側棚板３８とに当たって、ストッパーとして機能する。パネル６２の左右方向の幅は、収納ケース６０の幅よりも小さい。従って、収納ケース６０の左右端部は、パネル６２の左右端部から露出している。パネル６２の前面には、作業用の取手６８が設けられている。
【００２１】
電子部品６４は、通電によって動作する部品を含む。電子部品６４の一例は、増幅器（アンプ）である。電子部品６４は、後述する電子ユニット１４Ｂの電子部品６４よりも発熱が多く高温になる。
【００２２】
図１及び図３に示すように、複数の電子ユニット１４Ｂの個数の一例は、３個である。電子ユニット１４Ｂは、電子ユニット１４Ａとほぼ同じ構成を有する。電子ユニット１４Ｂは、収納ケース６０と、パネル６２と、電子部品６４と、固定部材６５とを有する。電子ユニット１４Ｂの電子部品６４は、電子ユニット１４Ａの電子部品６４とは異なる機能を有する。固定部材６５は、上側棚板３６の上側取付板５０及び下側棚板３８の下側取付板５４に電子ユニット１４Ｂを固定する。電子ユニット１４Ａ及び電子ユニット１４Ｂは、コネクタ及び配線等を介して互いに電気的に接続されている。
【００２３】
図１から図６に示すように、複数対のレール部材１６の各対は、収納ケース６０の上面及び下面に設けられている。レール部材１６は、収納ケース６０の上面において、左右方向の中央部に配置されている。レール部材１６は、例えば、樹脂製である。レール部材１６は、挿抜方向に長いほぼ直方体形状に形成されている。レール部材１６の挿抜方向の長さは、収納ケース６０の挿抜方向の長さとほぼ等しい、または、少し短い。レール部材１６の左右方向の幅は、収納ケース６０の左右方向の幅よりも短い。これにより、レール部材１６は、収納ケース６０の上面及び下面の全面を覆わないので、収納ケース６０の上面及び下面の放熱性が向上する。レール部材１６の後端部の幅は、後方に行くにつれて、徐々に小さくなるテーパ状に形成されている。
【００２４】
複数対のレール案内部材１８の各対は、上側棚板３６の下面及び下側棚板３８の上面に設けられている。レール案内部材１８は、挿抜方向に長い直方体状に形成されている。レール案内部材１８には、収納ケース６０の内側に向けて開口した凹部７０（図４参照）が形成されている。凹部７０は、レール部材１６の挿抜方向の全長にわたって延びる。凹部７０の左右方向の幅は、レール部材１６の左右方向の幅とほぼ同じである。凹部７０は、レール部材１６を挿入可能に構成されている。レール案内部材１８の挿抜方向の長さは、レール部材１６の挿抜方向の長さとほぼ同じである。レール案内部材１８は、凹部７０に挿入されたレール部材１６を電子ユニット１４とともに、電子ユニット１４を筐体１２に挿入する方向である挿抜方向に案内する。
【００２５】
スライド機構２０は、電子ユニット１４Ａをレール案内部材１８及びレール部材１６とともに、挿抜方向と交差するスライド方向である左右方向にスライドさせる。例えば、スライド機構２０は、放熱器２２が取り付けられた筐体１２の左側面まで電子ユニット１４Ａをスライドさせる。
【００２６】
図７は、スライド機構２０の近傍の平面図である。図８は、スライド機構２０の近傍の縦断面図である。尚、図７は、上側棚板３６の上面図でもあり、下側棚板３８の下面図でもある。図１から図８に示すように、スライド機構２０は、スライド部材７２と、上側棚板３６と、下側棚板３８とを有する。上側棚板３６及び下側棚板３８は、筐体１２の一部としても機能する。スライド部材７２は、例えば、かしめられて、レール案内部材１８に固定される。スライド部材７２は、軸部７４と、頂部７６とを有する。
【００２７】
軸部７４は、筐体１２の上側棚板３６の長穴４８または下側棚板３８の長穴５２にスライド可能に挿入される。軸部７４は、円柱状に形成されている。軸部７４の一端は、レール案内部材１８に挿入して固定される。軸部７４は、長穴４８、５２に対しては固定されない。従って、軸部７４は、長穴４８、５２に沿って、スライドする。
【００２８】
頂部７６は、軸部７４の他端に設けられている。頂部７６は、軸部７４と一体に構成されている。頂部７６は、円板状に形成されている。頂部７６の直径は、軸部７４の直径よりも大きい。頂部７６の直径は、長穴４８、５２の挿抜方向の幅よりも大きい。従って、頂部７６は、レール案内部材１８に固定された軸部７４が長穴４８、５２から抜けることを防止する。
【００２９】
図１から図３に示すように、放熱器２２は、板部材に設けられた複数のフィンを有する。放熱器２２は、固定用ネジ穴４４に嵌め合わされた複数の固定ネジ７８によって、筐体１２の左側面の外側に固定される。放熱器２２は、放熱窓４２よりも大きい。従って、放熱器２２は、放熱窓４２を塞ぐ。また、放熱器２２の中央部は、筐体１２の本体部３０の左側面に形成された放熱窓４２から露出している。放熱器２２は、連結用ネジ穴６６に嵌め合わされた複数の連結ネジ８０によって、電子ユニット１４Ａと連結される。具体的には、放熱器２２は、放熱窓４２を介して電子ユニット１４Ａの左側面に接触または密着して連結される。これにより、放熱器２２は、電子ユニット１４Ａから伝えられた熱を効率よく外部へ放熱する。
【００３０】
防水部材２４の一例は、断面が円状の樹脂製のパッキンである。防水部材２４は、放熱器２２の右側面または筐体１２の本体部３０の左側面に形成された防水溝８２に挿入される。これにより、防水部材２４は、筐体１２と放熱器２２とによって挟持されて、筐体１２及び放熱器２２と密着する。防水部材２４は、筐体１２と放熱器２２との間に入った水の筐体１２内部への侵入を抑制する。
【００３１】
次に、上述した電子機器１０の電子ユニット１４Ａの取り付け作業について説明する。図９及び図１０は、平面視における電子ユニット１４Ａの取り付け作業の工程図である。
【００３２】
図９に示すように、作業者は、固定ネジ７８を固定用ネジ穴４４に嵌め合わせて、放熱器２２を取り付けた状態から、電子ユニット１４Ａの取り付け作業を開始する。尚、電子ユニット１４Ｂが既に取り付けられた状態で電子ユニット１４Ａを取り付けてもよく、電子ユニット１４Ａを取り付けた後、電子ユニット１４Ｂを取り付けてもよい。
【００３３】
まず、作業者は、レール案内部材１８をスライド機構２０とともにスライドさせて、筐体１２の左側面から離す。次に、作業者は、取り付け対象の電子ユニット１４Ａを、筐体１２の前方であって、レール案内部材１８の挿抜方向上に配置する。作業者は、挿抜方向の一方向である後方へ電子ユニット１４Ａを移動させて、電子ユニット１４Ａの上下面に設置されたレール部材１６をレール案内部材１８の凹部７０に挿入する。ここで、レール部材１６の後端部、即ち、最初にレール案内部材１８に挿入される部分はテーパ状に形成されているので、電子ユニット１４Ａの位置が左右にずれていても、作業者はレール部材１６をレール案内部材１８の凹部７０に挿入することができる。作業者は、パネル６２が上側棚板３６及び下側棚板３８に当たるまで、レール部材１６をレール案内部材１８で案内させつつ、電子ユニット１４Ａを挿抜方向に沿って移動させて筐体１２の内部に挿入する。作業者は、パネル６２が上側棚板３６及び下側棚板３８に当たると、電子ユニット１４Ａをレール部材１６及びレール案内部材１８とともに、スライド機構２０によってスライド方向の一方向である左方向へとスライドさせる。
【００３４】
図１０に示すように、作業者は、スライド機構２０のスライド部材７２を長穴４８、５２に沿ってスライドさせることにより、スライド方向の一方向である左方向に電子ユニット１４Ａをスライドさせる。この後、作業者は、筐体１２の本体部３０の左側面まで電子ユニット１４Ａをスライドさせて、電子ユニット１４Ａを放熱窓４２に挿入する。作業者は、連結ネジ８０を電子ユニット１４の連結用ネジ穴６６に嵌め合わせる。これにより、図１に示すように、作業者は、放熱窓４２を介して放熱器２２と接触させた状態で電子ユニット１４Ａを放熱器２２に固定する。これにより、作業者は、筐体１２に固定された放熱器２２を介して電子ユニット１４Ａを筐体１２に固定して取り付ける。
【００３５】
次に、電子ユニット１４Ａの取り外し作業について説明する。
【００３６】
作業者は、図１に示すように取り付けられている電子ユニット１４Ａの連結ネジ８０を、放熱器２２及び電子ユニット１４の連結用ネジ穴６６から外す。これにより、放熱器２２と電子ユニット１４Ａとの連結が解除される。作業者は、電子ユニット１４Ａをレール部材１６及びレール案内部材１８とともに、スライド機構２０によって右方にスライドさせる。作業者は、図１０に示すように電子ユニット１４Ａを抜き出しやすい位置までスライドさせると、図９に示すように前方へと電子ユニット１４Ａを抜き出す。
【００３７】
上述したように、電子機器１０は、電子ユニット１４Ａを挿抜方向に案内するレール部材１６及びレール案内部材１８を備えるとともに、電子ユニット１４Ａをレール部材１６及びレール案内部材１８とともに挿抜方向と交差する左右方向にスライドさせるスライド機構２０とを備える。これにより、作業者は、電子ユニット１４Ａを容易に挿抜方向及び左右方向に移動させることができるので、電子ユニット１４Ａを所定の位置に取り付ける作業及び所定の位置から取り外す作業を容易にできる。
【００３８】
特に、電子ユニット１４Ａが動作時に高温になる場合、電子ユニット１４Ａを放熱器２２に取り付ける作業が必要となる。このような電子機器１０であっても、放熱器２２が筐体１２に取り付けられた状態で、電子ユニット１４Ａを放熱器２２に連結することができる。これにより、作業者は、放熱器２２を支えることなく、電子ユニット１４Ａを放熱器２２に連結することができるので、連結の作業を容易にすることができる。更に、放熱器２２が筐体１２に取り付けられた状態で作業できるので、放熱器２２と筐体１２との間に配置された防水部材２４及び放熱器２２が作業中に外れることなく、電子ユニット１４Ａを取り付けることができる。
【００３９】
上述した実施形態の構成は適宜変更してよい。
【００４０】
例えば、上述の実施形態では、レール部材１６を電子ユニット１４に設け、レール案内部材１８を筐体１２の上側棚板３６及び下側棚板３８に設ける例を挙げたが、これに限定されない。レール部材１６は、電子ユニット１４及び筐体１２のいずれか一方に設けてよく、レール案内部材１８は電子ユニット１４及び筐体１２のいずれか他方に設けてよい。
また、上述の実施形態では、スライド機構２０のスライド部材７２がレール案内部材１８に設ける例を挙げたが、これに限定されない。スライド部材７２は、レール部材１６またはレール案内部材１８に固定すればよい。例えば、レール部材１６を筐体１２の上側棚板３６及び下側棚板３８に設け、レール案内部材１８を電子ユニット１４に設けてもよい。この場合、スライド部材７２は、筐体１２の上側棚板３６及び下側棚板３８に設けられたレール部材１６に固定される。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１０…電子機器、１２…筐体、１４、１４Ａ、１４Ｂ…電子ユニット、１６…レール部材、１８…レール案内部材、２０…スライド機構、２２…放熱器（放熱部材）、６４…電子部品
【図１】
2017005231.tif 000003
【図２】
2017005231.tif 000004
【図３】
2017005231.tif 000005
【図４】
2017005231.tif 000006
【図５】
2017005231.tif 000007
【図６】
2017005231.tif 000008
【図７】
2017005231.tif 000009
【図８】
2017005231.tif 000010
【図９】
2017005231.tif 000011
【図１０】
2017005231.tif 000012